(57)【要約】  血圧計カフ組立体、エアポンプ、圧力センサ、及び解放弁が、それ以外の点では慣用的なコンピュータマウスコントローラ内に収容され、又は、携帯電話、テレビのリモコンに取り付けられ、或いは、コンピュータに直接取り付けられる。一実施形態において、血圧計カフは、基本的にはマウス構造物内に配置され、測定中にマウスの外側に伸展される。別の実施形態において、カフは常にマウス構造物の外部に配置されており、測定中に、マウスに、特別なポートにて容易に接続される。さらに別の実施形態において、カフは常にマウス構造物の内部に配置されており、測定を行うことを可能にするために、マウスのハウジング面の開口部を通して容易にアクセスされることができる。さらに別の実施形態において、手首カフと、手首カフに関連付けられたポンプ、センサ、及び弁が、適切なソフトウェアがコンピュータからダウンロードされている携帯電話に選択的に接続されるように設計される。さらに別の実施形態において、カフ及び関連する部品が、テレビのリモコンユニットに直接接続される。本文中に示された実施形態の全てにおいて、血圧計カフは、ヒトの指又は手首を受け入れて指又は手首を周囲から加圧して係合するように構成され、この加圧係合に、カフ係合圧力を正確に変化させるための制御された空気圧が用いられる。【選択図】      図１
2009506844.tif 000002
【特許請求の範囲】
【請求項１】
コンピュータのマウスコントローラと、
ヒトの健康状態の少なくとも１つのパラメータを測定するための装置と
を含む組合せであって、
前記コントローラが、前記測定装置のためのインタフェースを有し、
前記測定装置が前記コントローラ内に保管されており、且つ、
前記保管されている測定装置が、前記少なくとも１つのパラメータの測定中に前記測定装置がアクセスされるために前記コントローラの外部に選択的に伸展されるように構成されている組合せ。
【請求項２】
前記測定装置が血圧計を含む請求項１に記載の組合せ。
【請求項３】
前記測定装置が血圧測定のための圧力カフを含む請求項１に記載の組合せ。
【請求項４】
前記圧力カフがヒトの指に加圧的に係合するように構成されている請求項３に記載の組合せ。
【請求項５】
前記少なくとも１つのパラメータが最大血圧である請求項１に記載の組合せ。
【請求項６】
さらに、ディスプレイを有するコンピュータを含み、前記マウスコントローラが、前記ディスプレイの少なくとも１つの特徴物を制御するために、且つ、前記少なくとも１つのパラメータの視覚的表示を前記ディスプレイに生じさせるために前記コンピュータと通信するように構成されている請求項１に記載の組合せ。
【請求項７】
コンピュータのマウスコントローラと、
血圧計と
を含む組合せであって、
前記コントローラが、前記血圧計とのインタフェースを有し、
前記血圧計が、前記コントローラ内の内部位置から、前記コントローラに対する外部位置に選択的に伸展可能な圧力カフを有する組合せ。
【請求項８】
ヒトの最高血圧及び最低血圧を測定するためにヒトの末端部と選択的に係合するための圧力カフと、
ハウジングを有するコンピュータ制御装置とを備え、前記カフが前記ハウジング内に収容され、前記ハウジングが、前記ヒトの末端部を前記カフ内に配置するための、前記収容されたカフへのアクセス部を有し、
前記アクセス部が、前記カフを前記ハウジングの外部に伸展させるための伸展装置を含む血圧計。
【請求項９】
コンピュータのマウスコントローラと、
ヒトの健康状態の少なくとも１つのパラメータを測定するための装置と
を含む組合せであって、
前記コントローラが、前記測定装置のためのインタフェースを有し、
前記測定装置が前記コントローラに、前記少なくとも１つのパラメータの測定中に選択的に取り付けられ、前記組合せが、さらに、
コンピュータを含み、当該コンピュータに前記コントローラが、前記測定に関連するデータを伝送するために通信する組合せ。
【請求項１０】
前記コンピュータが、前記データを表示するためのディスプレイ装置を含む請求項９に記載の組合せ。
【請求項１１】
コンピュータのマウスコントローラと、
血圧計と
を含む組合せであって、
前記コントローラが、前記血圧計とのインタフェースを有し、
前記血圧計が、前記コントローラにおける開口部を通してアクセス可能な圧力カフを有する組合せ。
【請求項１２】
ヒトの最高血圧及び最低血圧を測定するためにヒトの末端部と選択的に係合するための圧力カフと、
ハウジングを有する、コンピュータの制御装置とを備え、前記カフが前記ハウジング内に収容され、前記ハウジングが、前記ヒトの末端部を前記カフ内に配置するための、前記収容されたカフへのアクセス部を有し、
前記アクセス部が前記ハウジングに開口部を含む血圧計。
【請求項１３】
ヒトの最高血圧及び最低血圧を測定するためにヒトの末端部と選択的に係合するための圧力カフと、
ハウジングを有する、コンピュータのマウス制御装置とを備え、前記ハウジングが、前記カフを受け入れるための少なくとも１つの外側ポートを有し、且つ、前記ヒトの末端部と加圧的に係合するために前記カフに空気を充填するための少なくともエアポンプを収容している血圧計。
【請求項１４】
ヒトの最高血圧及び最低血圧を測定するためにヒトの指と選択的に係合するための圧力カフと、
ハウジングを有するコンピュータのマウス制御装置とを備え、前記ハウジングが、前記指を受け入れるための少なくとも１つの開口部を有し、前記圧力カフが、前記指と係合するために、前記ハウジング内にて前記開口部付近に配置されている血圧計。
【請求項１５】
コンピュータのマウス制御装置であって、内部チャンバを形成しているハウジングと、
血圧計とを備え、当該血圧計が、前記ハウジングの前記内部チャンバ内に配置された、ヒトの血圧を前記コンピュータのマウス制御装置を用いて測定するためのエアポンプ、及び、ヒトの末端部と加圧的に係合するためのカフを有し、前記カフが、前記ハウジングにおけるポートを介して前記エアポンプに選択的に接続されるコンピュータのマウス制御装置。
【請求項１６】
前記制御装置を、ディスプレイを有するコンピュータに接続するためのコンピュータインタフェースをさらに含み、前記測定された血圧が前記ディスプレイに表示され得る請求項１５に記載のコンピュータのマウス制御装置。
【請求項１７】
携帯電話と、
ヒトの健康状態の少なくとも１つのパラメータを測定するための装置と
を含む組合せであって、
前記携帯電話が、前記測定装置のためのインタフェースを有する組合せ。
【請求項１８】
前記測定装置が血圧計を含む請求項１７に記載の組合せ。
【請求項１９】
前記測定装置が血圧測定のための圧力カフを含む請求項１７に記載の組合せ。
【請求項２０】
前記圧力カフが、ヒトの手首に加圧的に係合するように構成されている請求項１９に記載の組合せ。
【請求項２１】
携帯電話と、
血圧計と
を含む組合せであって、
前記携帯電話が前記血圧計とのインタフェースを有する組合せ。
【請求項２２】
ヒトの最高血圧及び最低血圧を測定するためにヒトの末端部と選択的に係合するための圧力カフと、
ハウジングを有する携帯電話とを備え、前記ハウジングが、前記カフとの接続のための少なくとも１つのポートを有する血圧計。
【請求項２３】
コンピュータと、
ヒトの健康状態の少なくとも１つのパラメータを測定するための装置と
を含む組合せであって、
前記コンピュータが、前記測定装置のためのインタフェースを有する組合せ。
【請求項２４】
前記測定装置が血圧計を含む請求項２３に記載の組合せ。
【請求項２５】
前記測定装置が血圧測定のための圧力カフを含む請求項２３に記載の組合せ。
【請求項２６】
前記圧力カフがヒトの手首に加圧的に係合するように構成されている請求項２５に記載の組合せ。
【請求項２７】
コンピュータと、
血圧計と
を含む組合せであって、
前記コンピュータが、前記血圧計とのインタフェースを有する組合せ。
【請求項２８】
ヒトの最高血圧及び最低血圧を測定するためにヒトの末端部と選択的に係合するための圧力カフと、
前記測定された血圧に関連するデータを受け入れるために前記カフに直接接続されるための少なくとも１つのコネクタを有するコンピュータとを有する血圧計。
【請求項２９】
テレビと、
ヒトの健康状態の少なくとも１つのパラメータを測定するための装置と
を含む組合せであって、
前記テレビが前記測定装置のためのインタフェースを有する組合せ。
【請求項３０】
前記測定装置が血圧計を含む請求項２９に記載の組合せ。
【請求項３１】
前記測定装置が血圧測定のための圧力カフを含む請求項２９に記載の組合せ。
【請求項３２】
前記圧力カフがヒトの手首に加圧的に係合するように構成されている請求項３１に記載の組合せ。
【請求項３３】
前記インタフェースがテレビのリモコンユニットを含む請求項２９に記載の組合せ。
【請求項３４】
前記インタフェースが、リモコンユニットと、前記テレビに接続され、且つ、前記リモコンユニットからのワイヤレス伝送を受信するように適合されたセットトップボックスとを含む請求項２９に記載の組合せ。
【請求項３５】
テレビのリモコンと、
血圧計と
を含む組合せであって、
前記テレビのリモコンが、前記血圧計とのインタフェースを有する組合せ。
【請求項３６】
ヒトの最高血圧及び最低血圧を測定するためにヒトの末端部と選択的に係合するための圧力カフと、
ハウジングを有するテレビリモコン装置とを備え、前記ハウジングが、前記カフとの接続のための少なくとも１つのポートを有する血圧計。
【請求項３７】
テレビと、
ヒトの健康状態の少なくとも１つのパラメータを測定するための装置と
を含む組合せであって、
前記テレビが前記測定装置のためのインタフェースを有する組合せ。
【請求項３８】
前記測定装置が血圧計を含む請求項３７に記載の組合せ。
【請求項３９】
前記測定装置が血圧測定のための圧力カフを含む請求項３７に記載の組合せ。
【請求項４０】
前記圧力カフがヒトの手首に加圧的に係合するように構成されている請求項３９に記載の組合せ。
【請求項４１】
ヒトの最高血圧及び最低血圧を測定するためにヒトの末端部と選択的に係合するための圧力カフと、
前記測定された血圧に関連するデータを受け入れ、且つ、前記データを付近のテレビディスプレイにワイヤレス伝送するための、前記カフに直接接続されるための少なくとも１つのコネクタを有するワイヤレスリモコンユニットとを備える血圧計。
【請求項４２】
ヒトの最高血圧及び最低血圧を測定するためにヒトの末端部と選択的に係合するための圧力カフと、
前記測定された血圧に関連するデータを受け入れ、且つ、前記データを付近のテレビセットボックスにワイヤレス伝送するための、前記カフに直接接続されるための少なくとも１つのコネクタを有するワイヤレスリモコンユニットとを備える血圧計。
【発明の詳細な説明】
【技術分野】
【０００１】
本発明は、概して、血圧監視装置に関する。より詳細には、本発明は、血圧カフが組み込まれた、大量生産される慣用的な装置（例えば、携帯電話又はコンピュータのマウスコントローラ）であって、血圧を監視し、また、測定されたデータを、マウスが関連付けられたコンピュータにて、又は、手首カフが接続される携帯電話、若しくはコンピュータディスプレイにて、或いは、手首カフが接続されるリモコンを有するテレビのテレビジョンスクリーンにて表示するための装置に関する。このようなデータ表示により、測定されたパラメータの表示が容易に理解されることになる。
【０００２】
関連出願の相互参照
本出願は、２００５年８月３１日に出願された米国特許出願第１１／２１５，９８３号（２００６年６月２７日に米国特許第７，０６６，８９０号が付与された）、及び、２００５年９月２７日に出願された米国特許仮出願第６０／７２０，８４５号、及び、２００５年１０月３１日に出願された、米国特許仮出願第６０／７３１，６６３号による優先権を主張する。
【背景技術】
【０００３】
高血圧症は、現代社会における最も潜行性の高い疾患である。高血圧症を治療せずに放置すると、アテローム性動脈硬化症、脳卒中及び動脈瘤を含む、生命に関わる問題を引き起こす。長期間の高血圧が、心臓血管及び腎機能を衰弱させることがある。高血圧症は、完全に非侵襲性の処置にて最も簡単に検知される問題の１つであるにも関わらず、人口のかなりの割合において一般に検知されないことが多すぎる。過去２０年ほどの間に、低コストのマイクロプロセッサチップ及び小型デジタル電子機器、並びに電磁気装置の出現により、非医療関係者による血圧の自動測定が、より容易に利用可能になった。それでも血圧計は、大部分の人々にとって、なお過度に高性能である。このような装置を完全に操作できる人々でさえも、血圧計を、引き出しや、これらの使用者がほとんど忘れて使わないでおくことの多い、人目に付かない他の場所にしまいこむ傾向にある。
【発明の開示】
【発明が解決しようとする課題】
【０００４】
アクセスが容易で、また、現在用いられている入手可能なデジタル血圧計よりもなお使い易い血圧監視装置の利用可能性を高める方法があるならば、高血圧症の早期検知にとって、従って、多くの人々の全体的な健康にとって非常に有利であろう。圧力カフを有する血圧計であって、実質的に全てのコンピュータ又はテレビセットにて、これらのコンピュータ又はテレビのリモコンユニットの各々のすぐ近くに圧力カフを常に設置できる血圧計を得ることができたならば、このような有利な効果をもたらすことに大いに役立つであろう。このようなことが本発明の目的である。
【課題を解決するための手段】
【０００５】
本発明は、血圧計を、現代社会で最も一般的に利用可能な装置、すなわち、コンピュータのマウス及び携帯電話と組み合わせる。さらに、本発明は、血圧計カフを、コンピュータマウスに、血圧測定プロセスの開始及び実行を非常に簡単で便利にするように組み込む。異なる３つのマウスの実施形態を、本文中に例示及び説明する。このような実施形態の１つにおいて、血圧計カフは、基本的にマウス構造物内に配置されており、測定中にはマウスハウジングの外側に伸展される。別の実施形態において、カフは常にマウス構造物の外部に配置されており、測定中に、マウスに、特別なポートにて容易に接続される。さらに別の実施形態において、カフは常にマウス構造物の内部に配置されており、測定を行うことを可能にするために、マウスのハウジング面の開口部を通して容易にアクセスされることができる。好ましくは、これらの異なる実施形態の各々において、測定が行われないときには、ヒンジ付き又はスライド可能なドア又はパネルがカフ又はカフポートを保護する。携帯電話の実施形態においては、手首カフと、手首カフに関連付けられたポンプ、センサ、及び弁が、関連するソフトウェアを組み込んだ携帯電話に接続される。さらに別の実施形態において、圧力カフ及び関連する部品が、テレビのリモコンに直接接続され、このリモコンにより、テレビ、又は、テレビに接続されたセットトップボックスへのワイヤレス伝送が行われる。本文中に示した全ての実施形態において、血圧計カフは、ヒトの指又は手首を受け入れて周囲から加圧して指又は手首と係合するように構成され、この加圧係合に、カフ係合圧力を正確に変化させるための制御された空気圧が用いられる。
【０００６】
全ての種類の血圧計に用いられているよく知られた方法において、カフ／指係合の圧力は、最初に、動脈血管の脈動がカットオフ値を超える（動脈の完全閉塞）まで増大される。次いで、カフ圧は、動脈血管の脈動が最初に検知される（一般にコロトコフＩ（Ｋｏｒｏｔｋｏｆｆ  Ｐｈａｓｅ  Ｉ）として知られている）まで、ゆっくりと低減される。この時点での対応するカフ圧は、監視されるべき重要なパラメータの１つである最高血圧と実質的に等しくなる。カフ圧が低減され続けるに従い、動脈血管の脈動は、最終的に、この状態での脈動を検知するための十分なカフ圧がないために、カフを介して検知されることができなくなる（一般にコロトコフＶ（Ｋｏｒｏｔｋｏｆｆ  Ｐｈａｓｅ  Ｖ）として知られている）。この時点でのカフ圧は、監視されるべき別の重要なパラメータである最低血圧と実質的に等しい。さらに、最高血圧と最低血圧との間で検知される脈拍数が測定され、この脈拍数は、心拍速度又は心拍数（これらまた、監視されるべき或る程度重要なパラメータである）と実質的に等しい。これらの２つのカフ圧及び脈拍数が、測定プロセスにて測定されるパラメータデータであり、対応するデジタルデータが、マウスコントローラ（制御装置）が関連付けられているコンピュータに送信される。
【０００７】
次いで、コンピューターソフトウェア（本文にて説明する）が、このデジタルデータ（典型的には２進数形式）を用いて、測定されたパラメータをコンピュータのモニタに適切に表示することができる。他の機能、例えば、多数回の測定にわたりデータを記録し、データをグラフで表示すること、また、データを他者と、例えばインターネットを介して、例えば、予め指定された医療関係者への電子メールにより通信することも実行されることができる。
【０００８】
従って、本発明の主な利点は、明らかに、多数のコンピュータ及び携帯電話のユーザが頻繁に血圧を監視できる利益を享受するための簡単で便利な方法を普及させることである。また、コンピュータのマウスを既存のコンピュータの代わりに通常的に容易に用いることができるため、明らかに有益なこの健康関連装置は、ほぼ全てのコンピュータユーザ、及び彼らの家族により、比較的お金をかけずに楽しんで使用されることができる。さらに、最終的には、ほぼ全ての携帯電話ユーザが、自分の血圧及び脈拍数を、手首カフを自分の手首に配置して手首カフを自分の携帯電話に接続することにより、容易にモニタリング及び記録することができるであろう。社会全体が、高血圧症の早期検知と、その結果として、高血圧症の適時治療、及び関連する疾患の予防を促進し得ることにより利益を受けるであろう。
【発明を実施するための最良の形態】
【０００９】
本発明の様々な実施形態、特徴及び利点は、以下に本発明を、添付図面を参照して詳細に説明することにより、より完全に理解されよう。
マウスコントローラの実施形態
【００１０】
添付図面を参照する。最初に、図１〜図６を参照すると、第１の実施形態のマウスコントローラ１０が、ハウジング１２、クリックボタン１３及び１５、並びに制御装置１４を含むことが分かるであろう。本発明のマウスコントローラの正確な構造が、実際には多くの慣用的な設計のいずれにも変更され得ることが理解されよう。従って、クリックボタン、制御装置１４の形状、位置及び個数、並びに、ハウジング１２の形状は全て、この図において例として示されているだけであり、本発明の範囲を限定するものとみなされるべきではない。しかし、慣用的なマウスコントローラに対する重要な改良は以下に記載する。
【００１１】
図１及び図２に示されているように、ヒンジ付ドア１６がマウスハウジング１２の側部に設けられている。ヒンジ付ドア１６は、ヒンジ１７を軸として開放されると、ハウジング１２の内部に通じさせ、内部には、血圧計２１、及び、血圧計のカフ組立体１８が配置されている。以下に、より詳細に説明するように、血圧計２１を作動させると、カフ組立体１８は、図３〜図５に示されているように、ドア１６を通ってマウスハウジングの外側に伸展される。カフ組立体のこのような伸展は、ドア１６を、ヒンジ１７を軸として、内部ドア段１９と位置合わせされるまで折り曲げ、次いで、このドア組立体を、図３及び図４に詳細に示されているようにハウジング１２を超えて延在させ、そして、ドア組立体のヒンジ２０を軸として、ドア組立体がハウジングの底面２４における矩形の凹部２２内に嵌るまで約２７０度完全に回転させることにより容易にされる。カフ組立体１８が、図５に示されている位置まで完全に伸展されたならば、カフ組立体は、血圧及び脈拍数を測定するために、ヒトの伸ばした指を挿入するための適切な位置に配置される。次いで、組立体は、ハウジング内に再び挿入されることができる。ドア組立体は、回転されて、ハウジングを閉鎖するための、マウスコントローラ１０の通常の慣用的な使用による位置に戻される。
【００１２】
図６に、圧力カフ組立体１８を含む血圧計２１がハウジング１２内に配置されている様子が示されており、カフ組立体及び付随する部品が、図７〜図９に詳細に示されている。これらの図に見られるように、血圧計２１は、膨張可能なエアバッグ２５を、カフ組立体１８の環状の内部に含む。また、ソレノイド２６、エクステンダアーム２８、電動エアポンプ３０、圧力センサ３２及び解放（逃がし）弁３４も、血圧計２１を形成している。ソレノイド２６及びエクステンダアーム２８は、図３〜図５に関して先に述べたように、カフ組立体１８をハウジング１２の外側に伸展させることを可能にする。エアポンプ３０が、エアバッグ２５を選択的に膨張させるための加圧エアをもたらし、これにより、エアバッグは、カフ組立体１８内に突き通された指を力強く把持する。圧力センサ３２は、エアバッグ／指の面境界にて圧力を検知し、そして、解放弁３４がエアバッグ２５から空気を解放する。この解放空気の流量は、挿入された指にて最高血圧及び最低血圧をオシロメトリック式に検知するセンサ３２に応答した流量である。
【００１３】
図１０及び図１１は、ハウジング４２、クリックボタン４３及び４５、並びに制御装置４５を有する第２の実施形態のマウスコントローラ４０を示す。この実施形態において、ハウジングにジャック４６及びジャック４８が設けられており、これらのジャックに、エアバッグ５２を有する外部カフ組立体５０が、コネクタ５４及びコンピュータ５６により取り付けられる。カフ組立体５０をさらに支持するために、コネクタブレース５８が、ブレース受け入れ部６０と嵌合する。血圧計の残りの部品（この第２実施態様においては必要ではないエクステンダアーム２８及びソレノイド２６を除く）はハウジング４２内に配置されている。カフ組立体５０をコントローラ４０に取り付けたならば、第２実施形態の動作は第１実施形態１０の動作と同一である。血圧計を使用していないときにジャック４６及びジャック４８を保護するために、ジャックカバー４７が用いられ得る。
【００１４】
図１２及び図１３は、ハウジング７２、クリックボタン７３及びクリックボタン７５、並びに制御装置７４を有する第３の例示的な実施形態のマウスコントローラ７０を示す。この実施形態において、血圧計は、ハウジングの対向する側面上に軸方向に位置合わせされた開口部７６を有するハウジング７２の内部の定位置に完全に収容されている。開口部７６の内部に、カフ組立体７８、及び、血圧及び脈拍数の測定のためにヒトの指を受け入れるためのエアバッグ８０が、先に述べたように配置されている。
【００１５】
図１４は、エアバッグがエアチューブを介してポンプ、圧力センサ及び解放弁に接続されることを示す、血圧計／コンピュータインタフェースのブロック線図である。これらの部品はコマンドを受信し、圧力データをコンピュータに、ＭＣＵ及びＵＳＢを介し、ＵＡＲＴブリッジ及びコンピュータのＵＳＢポートを通して提供する。図１５は、血圧測定中の、コンピュータへの典型的なデータ伝送を示し、このデータから、最高血圧及び最低血圧、並びに脈拍数パラメータが得られる。図１６は、測定完了後にコンピュータのモニタに示される典型的な表示を示す。このデータは、血圧及び脈拍数の変化を時系列的に記録させるために、複数回の測定にわたって記録され、且つ図表で示され得る。
携帯電話及びコンピュータとの直接接続による実施形態
【００１６】
図１７は、血圧計９０が、ヒトの手首に加圧的に係合するように構成された圧力カフ９２を含む、本発明の手首カフ／携帯電話の実施形態を示す。取り付けられている小さいハウジング９４が、図１〜図１４の指カフに関して先に説明したタイプのエアポンプ、圧力センサ及び解放弁（図示せず）を含む。カフ９２及びハウジング９４は、携帯電話９５に、ケーブル９６及びコネクタ９７により電気的に接続され得る。携帯電話９５は、好ましくは、図１６に示した情報と同一タイプの情報（図表データ及び英数字形態のデータを含む）を表示するためのディスプレイ９８を有し得る。携帯電話９５は、好ましくは、パソコン又はラップトップコンピュータ（図示せず）に接続することができ、それによりこれらのデータをコンピュータにダウンロードし、且つ／又は、コンピュータとの互換動作に必要な、血圧計９０の動作のためプログラミングを受信することができる。
【００１７】
図１８に示すように、図１７の手首カフを、コンピュータ１００に、ＵＳＢコネクタ１０１などを介して直接接続することもでき、これにより、携帯電話を介さずに、健康状態をコンピュータディスプレイ１０２にリアルタイムで表示することができる。
テレビリモコンユニット
【００１８】
図１９に示されているように、図１７の手首カフは、テレビのリモコンユニット１１０に接続され得る。テレビリモコンユニットは、測定データを、付近のテレビ１１２に、テレビモニタ上で表示させるためにワイヤレス伝送する。この測定データをテレビリモコンユニット１１０から受信して、テレビスクリーン１１５に表示されるべき対応するメッセージとして構成するために、セットトップボックス１１４が用いられ得る。この例が図１９に示されている。テレビセットに直接接続されるインタフェースも考えられる。
【００１９】
本発明が、健康をベースとしたパラメータを測定及び追跡するための新規の便利な方法を提供することが理解されたであろう。この方法は、これらのパラメータを事実上全てのコンピュータが得ることを容易にする改良されたコンピュータマウスコントローラ、又は携帯電話と、手首カフとの組合せを用いる。この組合せは、これらのパラメータを、それ以外の点では慣用的な携帯電話を用いて測定することを容易にする。本明細書において、様々な実施形態の選択肢を開示してきたが、他の変型も、本明細書の記載から利益を得る人々により理解されるであろう。従って、本発明の範囲は、本明細書に記載された例示的な特徴によっては限定されず、添付の特許請求の範囲及びそれらの均等物によってのみ限定される。
【図面の簡単な説明】
【００２０】
【図１】血圧測定のために血圧計の圧力カフがマウスコントローラ内から選択的に引き出される本発明の第１の実施形態を示す図である。
【図２】血圧測定のために血圧計の圧力カフがマウスコントローラ内から選択的に引き出される本発明の第１の実施形態を示す図である。
【図３】血圧測定のために血圧計の圧力カフがマウスコントローラ内から選択的に引き出される本発明の第１の実施形態を示す図である。
【図４】血圧測定のために血圧計の圧力カフがマウスコントローラ内から選択的に引き出される本発明の第１の実施形態を示す図である。
【図５】血圧測定のために血圧計の圧力カフがマウスコントローラ内から選択的に引き出される本発明の第１の実施形態を示す図である。
【図６】血圧測定のために血圧計の圧力カフがマウスコントローラ内から選択的に引き出される本発明の第１の実施形態を示す図である。
【図７】測定を実行するために、ヒトの指に咬合する圧力を正確に加え、またこの圧力を正確に解放するための、血圧計のカフ、及びこのカフに付随する装置の図である。
【図８】測定を実行するために、ヒトの指に咬合する圧力を正確に加え、またこの圧力を正確に解放するための、血圧計のカフ、及び、このカフに付随する装置の図である。
【図９】測定を実行するために、ヒトの指に咬合する圧力を正確に加え、またこの圧力を正確に解放するための、血圧計のカフ、及び、このカフに付随する装置の図である。
【図１０】血圧計の圧力カフが、測定のために、マウスコントローラの外側に配置されているポートに選択的に取り付けられる本発明の第２の実施形態を示す図である。
【図１１】血圧計の圧力カフが、測定のために、マウスコントローラの外側に配置されているポートに選択的に取り付けられる本発明の第２の実施形態を示す図である。
【図１２】血圧計の圧力カフが、マウスコントローラのハウジング内にて固定されるように配置され、また、測定のために、ハウジングにおける少なくとも１つの開口部を介してアクセスされることができる本発明の第３の実施形態を示す図である。
【図１３】血圧計の圧力カフが、マウスコントローラのハウジング内にて固定されるように配置され、また、測定のために、ハウジングにおける少なくとも１つの開口部を介してアクセスされることができる本発明の第３の実施形態を示す図である。
【図１４】本発明の実施形態を用いて使用され得る血圧計及びコンピュータインタフェースのブロック線図である。
【図１５】血圧測定の記録のコンピュータのモニタディスプレイを示す。
【図１６】血圧測定の記録のコンピュータのモニタディスプレイを示す。
【図１７】本発明の携帯電話／手首カフの実施形態の図である。
【図１８】カフ及び関連する部品が、例えばＵＳＢコネクタによりコンピュータに直接接続されている別の手首カフの実施形態の図である。
【図１９】カフ及び関連する部品が、測定されたデータを、テレビに直接に、又はテレビセットトップボックスを介してワイヤレス伝送するリモコンに接続される、手首カフのさらに別の実施形態を示す。
【図１】
2009506844.tif 000003
【図２】
2009506844.tif 000004
【図３】
2009506844.tif 000005
【図４】
2009506844.tif 000006
【図５】
2009506844.tif 000007
【図６】
2009506844.tif 000008
【図７】
2009506844.tif 000009
【図８】
2009506844.tif 000010
【図９】
2009506844.tif 000011
【図１０】
2009506844.tif 000012
【図１１】
2009506844.tif 000013
【図１２】
2009506844.tif 000014
【図１３】
2009506844.tif 000015
【図１４】
2009506844.tif 000016
【図１５】
2009506844.tif 000017
【図１６】
2009506844.tif 000018
【図１７】
2009506844.tif 000019
【図１８】
2009506844.tif 000020
【図１９】
2009506844.tif 000021
【国際調査報告】
2009506844.tif 000022
2009506844.tif 000023